(57)【特許請求の範囲】
【請求項１】
計器前面にロータリースイッチとロータリーエンコーダが垂直方向に配置され、前記ロータリースイッチを回転させることにより選択される現場計器の各種設定内容を、前記計器前面に配置された前記ロータリースイッチとロータリーエンコーダの直径よりも小さな複数の発光素子とラベルにより表示する計器であって、前記ラベルは前記計器の前面の幅より小さな幅とされ、前記複数の発光素子のうちの定められた一つが点灯状態の時は前記ロータリースイッチの設定は無効とされ、前記定められた一つの発光素子が点滅状態の時は前記ロータリースイッチの設定が可能とされ、前記設定内容に対応するように定められた発光素子の少なくとも一つを点灯させ他の発光素子は消灯状態とするように構成したことを特徴とする計器。
【請求項２】
前記複数の発光素子の点灯位置の組み合わせで前記ロータリーエンコーダで設定した上限・下限の振り切れ機能を表示することを特徴とする請求項１に記載の計器。
【請求項３】
前記発光素子はＬＥＤまたは発光ダイオードであることを特徴とする請求項１又は２に記載の計器。
【発明の詳細な説明】
【技術分野】
【０００１】
本発明は、例えば信号変換器を調整するための計器に関し、前面に調整のためのロータリースイッチを有する計器に関するものである。
【背景技術】
【０００２】
プロセス現場の監視室などに設置され、筐体の前面に取り付けられたロータリースイッチなどをドライバを用いて調整するインターフェイス計器がある。
【０００３】
図３はこのような計器の要部斜視図である。
図３において、１は矩形状の計器本体であり、正面に例えば蝶番（図示せず）などにより計器本体の底面に係止され、矢印イ方向に回動する前面蓋２が設けられている。
【０００４】
３は前面蓋２を手前のイ方向に回動させたときにその裏側に貼付されたラベルである。５はロータリースイッチでこのスイッチには図示の例では０〜７の数字が記載されておりスイッチのダイアルをドライバで回すと矢印ロの先端が順次数字の０〜７を指して回転する。０〜７の数字はラベルに記載された０→Ｎｏｒｍａｌ  Ｏｐｅｒａｔｉｏｎ，１→Ｏｕｔｐｕｔ  Ｚｅｒｏ，２→Ｏｕｔｐｕｔ  Ｓｐａｎ・・・７→表示なしの記述に対応している。
【０００５】
６はロータリーエンコーダでロータリースイッチ５に対して垂直方向に上下に並べて配置されており、ロータリースイッチ５で選択した機能の上限値・下限値を設定する。
４はステータスを表示するＬＥＤであり、ロータリーエンコーダ６で設定が行われている間は点滅状態とされ通常は点灯している。７は前面蓋２を閉じたときにステータスＬＥＤ４の点灯を確認するための貫通孔である。
【０００６】
上述の構成において、オペレータは必要に応じて前面蓋２を開きこの計器に接続された他の計器にスパン・ゼロ調整や上下限の設定を行う。
【先行技術文献】
【特許文献】
【０００７】
【特許文献１】実開昭６３−２１６２２４号公報
【特許文献２】特開平０１−２２２１２１号公報
【発明の概要】
【発明が解決しようとする課題】
【０００８】
図３に示す従来例においては、ロータリースイッチ５やロータリーエンコーダ６のサイズに影響され計器の薄型・小型化に対応できない。
即ち、計器の薄型化（例えば正面から見た幅を半分）を図ろうとしてロータリースイッチ５のサイズを小さくすると０〜７で示す数字が細かくなり見えにくくなる。また、 表示をやめるとステータスを知る手段が無くなる。
更に、ステータス（SW設定）の内容を、ラベル表示に頼っている。その為、前面蓋の表示スペースが狭くなり文字サイズも小さくなって見えにくくなる。という課題があった。
【０００９】
ところで、このような計器は現場調整で使用されるインターフェイスだが、実際に使用される機能は限られており、現実にはラベル３に書かれている機能の一部しか使用されていない。本発明では、現場調整で使用される実際に使用される機能は減らさずに、薄型化を可能とした計器を提供することを目的としている。
【課題を解決するための手段】
【００１０】
本発明は上記課題を解決するためになされたもので、請求項１においては、
計器前面にロータリースイッチとロータリーエンコーダが垂直方向に配置され、前記ロータリースイッチを回転させることにより選択される現場計器の各種設定内容を、前記計器前面に配置された前記ロータリースイッチとロータリーエンコーダの直径よりも小さな複数の発光素子とラベルにより表示する計器であって、前記ラベルは前記計器の前面の幅より小さな幅とされ、前記複数の発光素子のうちの定められた一つが点灯状態の時は前記ロータリースイッチの設定は無効とされ、前記定められた一つの発光素子が点滅状態の時は前記ロータリースイッチの設定が可能とされ、前記設定内容に対応するように定められた発光素子の少なくとも一つを点灯させ他の発光素子は消灯状態とするように構成したことを特徴とする。
【００１１】
請求項２においては、請求項１に記載の計器において、
前記複数の発光素子の点灯位置の組み合わせで前記ロータリーエンコーダで設定した上限・下限の振り切れ機能を表示することを特徴とする。
【００１２】
請求項３においては、請求項１又は２に記載の計器において、前記発光素子はＬＥＤまたは発光ダイオードであることを特徴とする。
【発明の効果】
【００１３】
以上説明したことから明らかなように本発明の請求項１〜３によれば、
１）ロータリースイッチの回転に伴って機能する内容を前記計器前面に配置された複数の発光素子により表示するので、従来のように計器前面蓋の裏側のラベルが不要となり、計器の前面の幅を小さくすることができる。
２）また、前記の前面の蓋が不要になるので、部品点数が少なくなり構成を簡単にすることができる。
３）また、発光素子の点灯位置に上限・下限の振り切れ機能を表示することが可能となるので使用勝手を向上させることができる。
【図面の簡単な説明】
【００１４】
【図１】本発明の計器の正面図（ａ），要部断面図（ｂ），発光素子の点灯の一例を示す図（ｃ）である。
【図２】図１の計器の発光素子の機能説明図である。
【図３】従来の計器を示す斜視図である。
【発明を実施するための形態】
【００１５】
図１は計器の正面図（ａ），要部断面図（ｂ），発光素子の点灯の一例を示す図（ｃ）である。なお、図３と同一要素には同一符号を付して重複する説明は省略する。
図１（ａ，ｂ）において、１は計器本体であり、正面から見た最上方にはステータスＬＥＤ４が取り付けられている。５はステータスＬＥＤ４の下方に設けられたロータリースイッチ、６はその下方に設けられたロータリーエンコーダであり、これらは計器正面から見た垂直方向に並べて取り付けられている。
【００１６】
４ａはロータリーエンコーダの下方に配置されたステータスＬＥＤで、上から順にＢ，Ｃ，Ｄ，Ｅと称する。３ａはラベルでステータスＬＥＤ４とロータリースイッチ５の間にはＳＥＬ（セレクト）と記載されたものが貼付され、ロータリーエンコーダ６とステータスＬＥＤ４ａを構成するＢのＬＥＤの間にはＡＤＪ（アジャスト）のラベルが貼付されている。
【００１７】
また、ステータスＬＥＤ４ａを構成するＢの横には近接して２Ｓ，同じくＣには２Ｚ，Ｄには１Ｓ，Ｅには１Ｚのラベルが貼付されている。
図２はロータリースイッチの設定（０〜４）とそのときの動作、ＬＥＤ４，４ａの点滅か消灯か及び機能設定とラベルの関係を示すものである。
【００１８】
図２によればロータリースイッチ５の設定が０のときは現場計器（図示省略）の動作（設定）は無効であり、ＬＥＤのＡは点灯状態、Ｂ，Ｃ，Ｄ，Ｅは消灯となっている。このときこの計器１で設定される現場計器は通常運転を行っている。
ロータリースイッチ５の設定が１のときは設定動作可能であり、４のＬＥＤのＡは点滅状態、ラベル２Ｓが貼付された４ａのＢのＬＥＤは点灯、Ｃ，Ｄ，ＥのＬＥＤは消灯となっている。このときこの計器１で設定される現場計器はＯｕｔｐｕｔ２のＳｐａｎ点が調整可能となっている。
【００１９】
ロータリースイッチ５の設定が２のときは設定動作可能であり、４のＬＥＤのＡは点滅状態となっている。そして、ラベル２Ｚが貼付された４ａのＣのＬＥＤは点灯、Ｂ，Ｄ，ＥのＬＥＤは消灯となっている。このときこの計器１で設定される現場計器はＯｕｔｐｕｔ２のＺｅｒｏ点が調整可能となっている。
【００２０】
ロータリースイッチの設定が３のときは設定動作可能であり、４のＬＥＤのＡは点滅状態となっている。そして、ラベル１Ｓが貼付された４ａのＤは点灯、Ｂ，Ｃ，ＥのＬＥＤは消灯となっている。このときこの計器１で設定される現場計器はＯｕｔｐｕｔ１のＳｐａｎ点が調整可能となっている。
【００２１】
ロータリースイッチの設定が４のときは設定動作可能であり、４のＬＥＤのＡは点滅状態となっている。ラベル１Ｚが貼付された４ａのＥのＬＥＤは点灯、Ｂ，Ｃ，ＤのＬＥＤは消灯となっている。このときこの計器１で設定される現場計器はＯｕｔｐｕｔ１のＺｅｒｏ点が調整可能となっている。
【００２２】
上述のようにロータリースイッチ１のステータス（ＳＷ設定)表示を、部品表面の表示からＬＥＤ（Ｂ〜Ｅ）とラベル３ａに置き換えることで、小型化されたロータリースイッチを採用することが出来、製品の薄型化に対応できる。
従来、現場調整で最も使用される出力調整は、従来のインターフェイスと何も変わらない状態で、例えば幅５０ｍｍの半分の幅２５ｍｍにも対応できる。ロータリースイッチ５やロータリーエンコーダ６のサイズによっては、前面ラベルとの組み合わせで更なる薄型(１０〜５ｍｍ位まで)も対応可能である。
【００２３】
図１（ｃ）は他の実施例を示すもので、例えば、ＬＥＤの表示を４個のＬＥＤでその他のＯＮ／ＯＦＦなどの設定にも対応可能である。
図１（ｃ）においては縦方向に４個並べたＬＥＤの上方の２個を点灯させることによりバーンアウト（Ｂｕｒｎ  Ｏｕｔ）ＵＰ、ＬＥＤの下方の２個を点灯させることによりバーンアウトＤＯＷＮ、４個並べたＬＥＤの中の２個を点灯させることによりバーンアウト(ＯＦＦを表示することができる。
【００２４】
更に本発明ではロータリースイッチ５のステータス表示（ＳＷ設定）を前面ＬＥＤに置き換えることで、ロータリースイッチの小型部品の採用が可能になり、製品自体の小型化・薄型化に対応できる。
また前面にラベルの表示を持ってくることで、製品を取り付けた状態で調整方法を確認することが出来る。従来は、計器の横に調整方法が表示してある。その為、計器取り付け状態では確認出来ない。
また、追加したＢ〜ＥのＬＥＤは、通常動作時は消灯なので、計器の運転時消費電流に影響を与えることがない。
【００２５】
なお、以上の説明は、本発明の説明および例示を目的として特定の好適な実施例を示したに過ぎない。従って本発明は、上記実施例に限定されることなく、その本質から逸脱しない範囲で更に多くの変更、変形を含むものである。
【符号の説明】
【００２６】
１        計器筐体
２        前面蓋
３，３ａ  ラベル
４，４ａ  ステータスＬＥＤ
５        ロータリースイッチ
６        ロータリーエンコーダ
７        貫通孔
【図１】
0005621509.tif 000002
【図２】
0005621509.tif 000003
【図３】
0005621509.tif 000004